(57)【要約】【課題】  樹上作業のために作業者か立木を登り下りしたり樹上で移動する際に、ロープを利用して確実に墜落防止でき、墜落防止を図るのに要する操作が極めて簡単で熟練を要さず、特殊な装備及び器材を必要としない方法を提供する。【解決手段】  墜落防止ロープ１を地上側でストックし、ロープ１の始端側１ａを立木Ｔの根元付近に固定し、立木Ｔの地上から届く高さに巻留め用索体３を巻き留めて第１支持点Ｐ１とし、始端側１ａからのロープ１を巻留め用索体３に保持させた開閉式クリップ環４と作業者Ｍの身に付けた摺動ストッパー２とに順次通してストック部１０へ垂らし、作業者Ｍが立木Ｔを登りながら、第１支持点Ｐ１よりも高位から所用高さ置きに順次、巻留め用索体３の巻き留めによる第２支持点Ｐ２以降の支持点Ｐ…を設け、各支持点Ｐにおいて巻留め用索体３に保持させた開閉式クリップ環４に、摺動ストッパー２と下位の支持点Ｐとの間に保留したロープ１の余剰部１１を通す。【選択図】        図１
2006158229.tif 000002
【特許請求の範囲】
【請求項１】
作業者が立木に登って樹上作業を行うに当たり、地上側でストックした墜落防止ロープの始端側を作業対象の立木の根元付近に固定すると共に、作業者は通したロープへの重量負荷によって作動する摺動ストッパーを身に付け、立木の所要位置に巻留め用索体を巻き留めて第１支持点とし、該第１支持点の巻留め用索体に保持させた開閉式クリップ環に前記始端側からの墜落防止ロープを通し、このロープを更に前記摺動ストッパーに通した上で地上側へ垂らし、順次同様にして巻留め用索体による第２支持点以降の支持点を設けると共に、これら各支持点において、巻留め用索体に保持させた開閉式クリップ環に、前記摺動ストッパーと下位の支持点との間に保留させたロープの余剰部を通すことを特徴とする樹上作業の墜落防止方法。
【請求項２】
前記巻留め用索体は、全体が一つの輪状をなし、この輪状を伸ばした二重直線状にして立木に巻き掛けて会合した一端側を他端側の輪に通し、この通した一端側の輪に前記開閉式クリップ環が嵌まるようにして支持点を形成する請求項１記載の樹上作業の墜落防止方法。
【請求項３】
前記支持点を形成した輪状の巻留め用索体の他端側の輪の部分に巻留め解除用の紐状物を繋ぎ留め、該紐状物の下端を地上近傍へ垂らしておくようにした請求項２記載の樹上作業の墜落防止方法。
【請求項４】
前記巻留め用索体がスリングベルトからなる請求項１〜３のいずれかに記載の樹上作業の墜落防止方法。
【請求項５】
前記開閉式クリップ環がカラビナである請求項１〜４のいずれかに記載の樹上作業の墜落防止方法。
【請求項６】
前記摺動ストッパーは、固定捲き掛け部とレバー付きの可動巻き掛け部との間にロープをＳ字状に巻き掛け、該ローブの引張力によって可動巻き掛け部が固定捲き掛け部との間で当該ローブを挟み付ける方向に付勢されると共に、該可動巻き掛け部がレバーの操作で前記ロープの挟み付けを弛めるように変位するものである請求項１〜５のいずれかに記載の樹上作業の墜落防止方法。
【発明の詳細な説明】
【技術分野】
【０００１】
本発明は、例えば庭木、街路樹、公園の樹木等の剪定、植林木の枝打ち、樹木の病害予防及び治療等で樹上作業する際の墜落を防止する方法に関する。
【背景技術】
【０００２】
従来、庭木職人による樹木の剪定等において、作業者が立木の高所に登って作業する場合、高所での作業者の安全を確保する手段として、作業者の身体をロープや種々の係留具を用いて周囲の幹や枝に繋ぎ留める方法が一般的に採用されている。しかるに、作業者の幹を伝った登り下りや樹上で移動の際には、現状では有効な墜落防止策は殆ど講じられておらず、このために往々にして墜落事故が発生している。
【０００３】
一方、米国における木登り技術として、先端に錘を付けた細い先導ロープを手投げや投射器によって投げ上げ、これを立木高所の木股部分に通過させ、落下した錘付きの先端側を引き取ることにより、該先導ロープの末端に繋いだ懸垂用ロープを引き上げて前記木股部分に渡しかけ、この懸垂用ロープの先端部を地上側の要所に結び付けて固定し、前記木股部分から垂れ下がる該懸垂用ロープに作業者の身に付けた係留具を繋ぎ留め、この懸垂用ロープに身体を支持させた状態で、該作業者が該ロープを手繰りつつ登って行く種々の方法が紹介されている（非特許文献１）。
【非特許文献１】Ｊeff Ｊepson (2002) The Tree Climber's Companion (2nd                       Edition), Beav-er Tree Publishing.
【０００４】
しかしながら、上記の木登り技術では、懸垂用ロープによる支持強度を充分に確保できれば墜落防止を果たせるが、ロープを渡した高所の木股部分の状態は地上から判りにくいため、うろや腐れ等があった場合に登る途中で折れて事故に繋がる危険性があり、また枝張りや周囲の状況等によっては掛け渡し不能となり、しかも立木高所の目的とする木股部分に先導ロープを掛け渡すこと自体が容易でない上、作業者が懸垂用ロープを手繰りつつ登るのに高度な熟練と相当な体力を要するという基本的な難点があり、少なくとも日本では全く普及していない。
【発明の開示】
【発明が解決しようとする課題】
【０００５】
本発明は、上述の事情に鑑みて、樹上作業のために作業者が幹を伝って登り下りしたり、樹上で移動する際に、ロープを利用して確実に墜落防止を図ることができる上、そのための操作が極めて簡単であって熟練を要することなく容易に行え、そのままで所要の高所作業を支障なく行え、また特殊な装備及び器材を必要としない墜落防止方法を提供することを目的としている。
【課題を解決するための手段】
【０００６】
上記目的を達成するために、請求項１の発明に係る樹上作業の墜落防止方法は、図面の参照符号を付して示せば、作業者Ｍが立木Ｔに登って樹上作業を行うに当たり、地上側でストックした墜落防止ロープ１の始端側１ａを作業対象の立木Ｔの根元付近に固定すると共に、作業者Ｍは通したロープ１への重量負荷によって作動する摺動ストッパー２を身に付け、立木Ｔの所要位置に巻留め用索体３を巻き留めて第１支持点Ｐ１とし、該第１支持点Ｐ１の巻留め用索体に保持させた開閉式クリップ環４に前記始端側１ａからの墜落防止ロープ１を通し、このロープ１を更に前記摺動ストッパー２に通した上で地上側へ垂らし、順次同様にして巻留め用索体による第２支持点Ｐ２以降の支持点Ｐ…を設けると共に、これら各支持点Ｐにおいて、巻留め用索体に保持させた開閉式クリップ環に、前記摺動ストッパー２と下位の支持点Ｐとの間に保留させたロープ１の余剰部１１を通すことを特徴としている。
【０００７】
請求項２の発明は、上記請求項１の墜落防止方法において、前記巻留め用索体３は、全体が一つの輪状をなし、この輪状を伸ばした二重直線状にして立木Ｔに巻き掛けて会合した一端側３ａを他端側３ｂの輪に通し、この通した一端側の輪に前記開閉式クリップ環４が嵌まるようにして支持点Ｐを形成するものとしている。
【０００８】
請求項３の発明は、上記請求項２の墜落防止方法において、前記支持点Ｐを形成した輪状の巻留め用索体３の他端側３ｂの輪の部分に巻留め解除用の紐状物７を繋ぎ留め、該紐状物の下端を地上近傍へ垂らしておくようにした構成を採用している。
【０００９】
請求項４の発明は、上記請求項１〜３のいずれかの墜落防止方法において、前記巻留め用索体がスリングベルト３からなるものとしている。
【００１０】
請求項５の発明は、上記請求項１〜４のいずれかの墜落防止方法において、前記開閉式クリップ環がカラビナ４である構成としている。
【００１１】
請求項６の発明は、上記請求項１〜５のいずれかの墜落防止方法において、前記摺動ストッパー２は、固定捲き掛け部２１とレバー２０付きの可動巻き掛け部２２との間にロープ１をＳ字状に巻き掛け、該ローブ１の引張力によって可動巻き掛け部２２が固定捲き掛け部２１との間で当該ローブ１を挟み付ける方向に付勢されると共に、該可動巻き掛け部２２がレバー２０の操作で前記ロープ１の挟み付けを弛めるように変位するものとしている。
【発明の効果】
【００１２】
請求項１の発明に係る樹上作業の墜落防止方法によれば、作業者が立木の登り下りの途中や樹上での移動中、あるいは所定の樹上作業中等に誤って手や足を滑らせて落下しても、その落下し始める位置に最も近い支持点のクリップ環から摺動ストッパーまでのロープ余剰部が伸びきると同時に該摺動ストッパーが作動し、作業者の身体は当該クリップ環からロープ余剰部の長さでぶら下がる状態になって落下が止められ、もって地上への墜落を確実に免れる上、落下する作業者の身体がぶら下がり状態に停止する際の衝撃も小さく、停止時に身体が木の幹に当たっりしても大きな怪我を負う心配はない。また、幹や太枝を登り進む際、先に設けた下位の支持点のクリップ環にロープ余剰部を通した段階では残余のロープ余剰部が短くなるから、この短いロープ余剰部に身体を吊持させてぶら下がった状態で、次位の支持点を設ける操作を行うことも可能であり、幹や枝の状態等によって立木自体に身体を預けることが困難な場合でも充分に対処できる。更に、樹上作業が終了して引き払う際は、取付け時とは逆の順に、各支持点でクリップ環からロープを外すと共に、摺動ストッパーからストック部側へロープを引き戻して余剰部を短くし、該クリップ環及び巻留め用索体を外して回収してゆけばよく、その途中で誤って落下しても、やはり真近の支持点からぶら下がる形で落下が停止する。また、休憩等で一時的に地上へ下りる場合は、クリップ環からロープを外して余剰部を短くする操作だけで、各支持点を残しておけば、作業再開時に各支持点を利用して楽に所定位置へ到達できる。
【００１３】
このように本墜落防止方法では、立木の登り下りや樹上での移動及び作業を安全に行える上、その実施のために熟練を要することもなく、しかも特殊な装備及び器材を必要とせず、ロッククライミイグや枝打ち作業等で汎用されているものをそのまま利用でき、立木に登る前段階の準備も地上に置いた墜落防止ロープの始端側を立木の根元付近に固定するだけでよく、予め立木の高所にロープを掛け渡したりする必要がなく、しかも地上側でロープを確保する補助者も不要であり、準備を含めて作業者が一人で全てを操作することも可能となる。
【００１４】
請求項２の発明によれば、巻留め用索体として全体が一つの輪状をなすものを用いるから、この輪状を伸ばした二重直線状で立木に巻き掛けて会合した一端側を他端側の輪に通し、この通した一端側の輪に開閉式クリップ環を通すだけで、極めて簡単に支持点を形成できる上、開閉式クリップ環にかかる重量が立木への巻き締めを強める方向に作用するから、支持点がずれにくく確固としたものとなり、また巻き留め位置の幹や枝の太さの違いに対応できると共に、その太さによって一本では長さが足りない場合でも２本を繋いだ形にして同様に巻き留めることができるという利点がある。
【００１５】
請求項３の発明によれば、上記の全体が一つの輪状をなす巻留め用索体にて形成した支持点が不要になった際、該巻留め用索体の前記他端側の輪の部分に繋ぎ止めた紐状物を地上から引っ張ることにより、該巻留め用索体の巻留めを外し、もって該巻留め用索体と開閉式クリップ環を地上へ引き落として回収できる。
【００１６】
請求項４の発明によれば、巻留め用索体としてスリングベルトを用いることから、形成される支持点がより位置ずれしにくく且つ高強度なものとなる。
【００１７】
請求項５の発明によれば、前記開閉式クリップ環としてカラビナを用いることから、巻留め用索体に対する脱着操作及びロープの係脱操作を容易に行えるという利点がある。
【００１８】
請求項６の発明によれば、前記摺動ストッパーとして、これに通したローブの引張力によってストッパー機能が働く特定構造のものを使用することから、作業者が落下した際の急激な重量負荷によってストッパー機能がより確実に発揮されると共に、ロッククライミングで下降器として汎用されるものをそのまま利用できるという利点がある。
【発明を実施するための最良の形態】
【００１９】
以下、本発明に係る樹上作業の墜落防止方法の一実施形態として、作業者が地上から立木に直接に登る場合について、図面を参照して具体的に説明する。図１（Ａ）〜（Ｃ）は本発明を適用した木登りの様子を示す模式図であり、図中のＭは作業者、Ｔは立木、Ｐ１〜Ｐ５は第１〜第５支持点（総称して支持点Ｐとする）、１は墜落防止ロープである。
【００２０】
作業者Ｍが剪定等の樹上作業のために立木Ｔに地上位置から直接に登る場合、図１（Ａ）に示すように、まず墜落防止ロープ１の始端側１ａを立木Ｔの根元部に巻き結び等で解けない形に括り付け、該ロープ１の束を地上にストック部１０として置く一方、作業者Ｍは通したロープ１への重量負荷によって作動する摺動ストッパー２を身に付ける。そして、立木Ｔの手を伸ばして届く高さの位置に短尺の巻留め用索体３を巻き留めて第１支持点Ｐ１とし、この巻留め用索体３に開閉式クリップ環４を保持させ、該クリップ環４に前記一端側１ａからのロープ１を通し、このロープ１を更に摺動ストッパー２に通した上で前記ストック部１０へ垂らす。なお、この場合、第１支持点Ｐ１の地上からの高さは２ｍ前後に設定するのがよい。
【００２１】
次に、作業者Ｍは立木Ｔを登り、図１（Ｂ）に示すように、所要の高さ位置で身体を確保しつつ、立木Ｔの第１支持点Ｐ１よりも高位に巻留め用索体３を巻き留めて第２支持点Ｐ２とし、この巻留め用索体３に開閉式クリップ環４を保持させると共に、摺動ストッパー２と第１支持点Ｐ１との間に保留されるロープ余剰部１１を第２支持点Ｐ２のクリップ環４に通したのち、再び摺動ストッパー２からの繰出しによって当該摺動ストッパー２と第２支持点Ｐ２との間に所要長さのロープ余剰部１１を保留した上で、更に立木Ｔを登る。そして、所要の高さ位置で身体を確保しつつ、第２支持点Ｐ２よりも高位でロープ余剰部１１の届く位置に巻留め用索体３を巻き留めて第３支持点Ｐ３とし、この巻留め用索体３に保持させた開閉式クリップ環４に前記ロープ余剰部１１を通し、更に該摺動ストッパー２からの繰出しによって当該摺動ストッパー２と第２支持点Ｐ３との間に所要長さのロープ余剰部１１を保留する。
【００２２】
以降同様にして、図１（Ｃ）に示すように、順次高位に支持点Ｐ４，Ｐ５…を設けつつ、各支持点において、予め保留させたロープ余剰部１１を巻留め用索体３に保持させた開閉式クリップ環３に通すようにして、立木Ｔの剪定等の作業を行うべき高所へ到達すればよい。なお、第２支持点Ｐ２以降の各支持点とその下位の支持点との間隔は、ロープ１の始端側１ａを括り付けた立木Ｔの根元部と第１支持点Ｐ１との間隔ｄよりも短くするのがよく、通常０．５〜１．５ｍ程度に設定される。
【００２３】
このような方法によれば、作業者Ｍが立木Ｔを登る途中で手や足を滑らせて落下しても、その落下し始める位置に最も近い支持点のクリップ環４を通した墜落防止ロープ１が常に該作業者Ｍの身に付けた摺動ストッパー２に繋がっているから、その時点での当該クリップ環４から摺動ストッパー２までのロープ余剰部１１が伸びきると同時に、ロープ１への重量負荷によって該摺動ストッパー２が作動し、作業者Ｍの身体は当該クリップ環４からロープ余剰部１１の長さでぶら下がる状態になって落下が止められ、地上への墜落を確実に免れることになる。しかして、各段階で設定するロープ余剰部１１の長さは、先に設けた支持点から次に設ける高位の支持点までの間隔を少し上回る程度でよいから、例えば該支持点間の間隔が１．５ｍと広い場合でも最長２ｍ未満となる。従って、落下する作業者Ｍの身体がぶら下がり状態に停止する際の衝撃も小さく、停止時に身体が木の幹に当たっても大きな怪我を負う心配はない。
【００２４】
なお、立木Ｔを登り進む際、先に設けた下位の支持点のクリップ環４にロープ余剰部１１を通した段階では残余のロープ余剰部１１が短くなるから、支持点間隔を１ｍ未満に設定する場合、この短いロープ余剰部１１に身体を吊持させた状態、つまり立木Ｔから手足を離してフリーにぶら下がった状態で、次の高位の支持点を設けるための操作を行うことも可能である。従って、支持点を設ける際、幹や枝の状態等によって立木Ｔ自体に身体を預けることが困難な場合でも、充分に対処できる。
【００２５】
上記の実施形態では作業者Ｍが地上から立木Ｔに直接に登る場合を例示したが、対象とする立木の太さや樹形、根元周辺の状況、作業内容及び作業位置等により、地上位置から登るのが困難である場合や却って不便である場合は、脚立や梯子等を利用して立木Ｔのある程度の高さに達してから第一支持点Ｐ１を設ける操作を開始すればよい。ただし、この場合も、予め墜落防止ロープ１の始端側１ａを立木Ｔの根元部に括り付けた上で、該ロープ１を手にして地上のストック部１０から引出しつつ脚立や梯子等を登って第一支持点Ｐ１の設定位置まで引き上げることになる。なお、図１では墜落防止ロープ１の始端側１ａを立木Ｔの根元に直接に括り付けて固定しているが、その固定は根元付近で行えばよく、根元付近に始端側１ａを固定可能で支持強度を確保できる杭等の物体があれば、その物体を利用してもよい。
【００２６】
かくして作業者Ｍが立木Ｔの所定高度まで登った後も、樹上作業を行う部位まで継続して支持点Ｐ…を設定し、更に作業部位を移したり複数の作業部位間で行き来するために樹上で移動する際にも、移動方向の上下に関わらず各往動行程で支持点Ｐ…を設けてゆくようにするのがよい。これにより、樹上での作業中や移動中に足を滑らせたりしても、同様に当該支持点からぶら下がる形で落下が止まるから、安全を確保できると共に、作業位置で各別に係留具を用いて周囲の幹や枝に身体を繋ぎ留める手間が省ける。無論、このように支持点Ｐ…を設けながら樹上での行程を確保してゆく際、新しく設ける支持点Ｐの直前に設けた支持点Ｐからの距離は、新しく設ける支持点Ｐ付近で落下した場合の作業者Ｍが地上まで墜落することなく直前に設けた支持点Ｐからロープ１でぶら下がる形になる範囲内にすべきことは当然であるが、落下からぶら下がり状態に停止する時の衝撃を考慮すれば、立木Ｔへの登り時と同様に２ｍ以内にするのがよい。
【００２７】
一方、樹上作業が終了して立木Ｔから下りる際は、登る時とは逆に、先進側の支持点から順に、クリップ環４からロープ１を外すと共に、摺動ストッパー２からストック部１０側へロープ１を引き戻して余剰部１１を短くし、該クリップ環４及び巻留め用索体３を外して回収してゆくようにすればよい。しかして、この下る途中で誤って落下しても、下位の支持点からぶら下がる形で落下が停止するから、やはり地上への墜落は免れることになる。なお、休憩等で一時的に地上へ下りたり、樹上での支持点Ｐ…を設けた行程を一時的に戻る方向に移動する場合は、クリップ環４からロープ１を外して余剰部１１を短くしてゆく操作だけで各支持点Ｐ…を残しておけば、再び元の部位に復帰する際に既設支持点Ｐ…を利用できて労力が著しく軽減される。
【００２８】
このように本方法によれば、立木Ｔの高所への登り下りや樹上での移動を、特殊な装備及び器材を必要とせず、熟練を要することもなく容易に且つ安全に行える上、登るための準備も地上に置いた墜落防止ロープ１の始端側１ａを立木Ｔの根元付近に固定するだけでよく、予め立木Ｔの高所にロープを掛け渡したりする必要がなく、しかも地上側でロープを確保する補助者も不要であり、準備を含めて作業者Ｍが一人で全てを操作することも可能である。
【００２９】
図２は、作業者Ｍが立木Ｔに登る際に使用する装備の具体例を示す。この場合の作業者Ｍは、腰ベルト５ａと両太股に嵌める輪状の足ベルト５ｂ，５ｂとが一体になった安全帯（ハーネス）５を着用し、腹前にある安全帯５の吊り部５ｃにカラビナ６を介して摺動ストッパー２を取り付けている。一方、支持点Ｐの形成に用いる前記巻留め用索体３として輪状のスリングベルト（以下、スリングベルト３とする）を、また該支持点Ｐの前記開閉式クリップ環４としてカラビナ（以下、カラビナ４とする）を用いている。
【００３０】
そして、輪状のスリングベルト３は、図２の仮想線で示すようにその輪状を伸ばした二重直線状にして立木Ｔの幹に巻き掛け、同図の実線で示すように会合した一端側３ａを他端側３ｂの輪に通して引き締め、この通した一端側３ａの輪にカラビナ４を通すことにより、前記支持点Ｐを形成する。なお、この支持点Ｐのカラビナ４には立木Ｔの根元付近に固定した始端側１ａからの墜落防止ロープ１を通し、更にそのロープ１を摺動ストッパー２に通して前記のように地上のストック部１０へ垂らしている（図１参照）。
【００３１】
ここで例示した摺動ストッパー２は、ロッククライミングにおいて汎用される下降器と同じものである。しかして、ロッククライミングの下降器では、通したロープに登攀者がぶら下がった際、その人体荷重によるロープの緊張力で自然にストッパー機能が働いて当該ロープの摺動を阻止するため、登攀者の身体が定位置に保持される一方、登攀者が手で握ってレバー２０を押圧することにより、ストッパー機能が解除されて登攀者はロープに沿って降下できる。これに対し、本発明方法での摺動ストッパー２は、作業者Ｍが普通に木登りしてゆく状態では墜落防止ロープ１に体重をかけることはないので、ストッパー機能は働いておらず、通したロープ１がある程度の抵抗を伴って摺動可能であるから、既述のように該ロープ１を引き出して所用長さの余剰部１１を確保できる。そして、作業者Ｍが誤って落下した際には、その人体荷重よって自動的にストッパー機能が働き、作業者Ｍはロッククライミングにおける登攀者と同様のぶら下がり状態となって墜落を免れ、このぶら下がり状態からレバー２０の押圧操作によって地上又は所用高さまで降下できることになる。
【００３２】
前記のスリングベルト３は、ソウンスリングとも称され、植林の枝打ち等の高所作業で身体を繋ぎ留めるのに使用されている高強度で非常に摩擦性の高い布材からなり、図２に示すように立木Ｔの幹に巻き留めた状態で安定に保持され、しかもカラビナ４に急激な大荷重が加わっても全くずれ落ちを生じないから、作業者Ｍが落下した際の衝撃と荷重に耐える支持点Ｐとして確実に機能する。しかして、このような巻き留め方法では、巻き留め位置の幹や枝の太さの違いに対応できると共に、その太さによって一本では長さが足りない場合でも２本を繋いだ形にして同様に巻き留めることができる。
【００３３】
また、墜落防止ロープ１としては、落下する作業者Ｍの身体がロープで停止した際の衝撃を抑えるために、ロンククライミング用スタティックロープやアーボリストロープ等の伸縮性の少ないものが好適であり、その長さが地上から立木Ｔの高所作業を要する部位までの行程の１．５倍以上、より好ましくは同行程の２倍以上のものを用意する。
【００３４】
なお、作業者Ｍが立木Ｔを登りながら第２支持点Ｐ２以降の各支持点Ｐ…を形成してゆく上で、それに見合う数のスリングベルト３及びカラビナ４を所持する必要があるが、これらは通常、安全帯５の腰ベルト５ａに設けた吊り具（図示省略）にぶら下げておくか、他の作業器材と共にリュック等に入れて携行することになる。ただし、地上側に補助者がおれば、下から投げ上げて木登り中の作業者Ｍに受け取らせることも可能である。
【００３５】
図３（Ａ）（Ｂ）及び図４は、図２で例示した摺動ストッパー２の詳細構造を示す。この摺動ストッパー２は、２枚の金属製帯板２ａ，２ｂがボルト・ナットからなる枢支ピン２３を介して中央部で枢着され、両帯板２ａ，２ｂ間に、該枢支ピン２３に枢着されたカム形の可動巻き掛け部２２と、この可動巻き掛け部２２よりも先端側でボルト・ナットからなる係止ピン２４を介して帯板２ａ側に固定されたカム形の固定捲き掛け部２１と、この固定捲き掛け部２１よりも更に先端側で帯板２ａ側に固着されたガイドピン２５とが配置すると共に、可動巻き掛け部２２には側方基端側へ延出するレバー２０が一体に固着されている。しかして、固定捲き掛け部２１及び可動巻き掛け部２２は、共に駒状で周面にガイド溝２１ａ，２２ａを有するが、互いに対向する周面部分は直線状の平坦部２１ｂ，２２ｂとなっている。また、帯板２ａの基端側には図４に示すように長孔２６が設けられる一方、帯板２ｂの基端側はフック部２７を構成しており、両帯板２ａ，２ｂが重なった状態で長孔２６とフック部２７にわたって前記の作業者Ｍ側のカラビナ６を掛け通すようになっている。２８は帯板２ｂ側に枢支ピン２８ａを介して枢着されたロック片であり、常時は図示省略したばね材によってフック部２７の入口側を閉鎖する方向に付勢されている。
【００３６】
この摺動ストッパー２に墜落防止ロープ１を通すには、帯板２ｂを回動変位させて図３（Ａ）の仮想線で示すように帯板２ａと交叉させ、この交叉状態において、墜落防止ロープ１のストック部１０に繋がる側が先端部のガイドピン２５と固定捲き掛け部２１との間から導出する形で、両捲き掛け部２１，２２間を通るＳ字状に巻き掛け、しかる後に帯板２ｂを帯板２ａに重なる状態に戻せばよい。しかして、帯板２ｂは、先端側に係止用切欠部２９ａ，２９ｂが設けてあり、これら切欠部２９ａ，２９ｂを帯板２ａ側の係止ピン２４及びガイドピン２５に各々係合させることにより、帯板２ａに重なった状態で安定に保持されるようになっている。また、帯板２ｂは、基端側がフック部２７になっているため、前記カラビナ６を掛け通した状態であっても、ロック片２８をばね力に抗して内側へ押し込むことより、該カラビナ６からフック部２７を離脱させて図３（Ａ）の仮想線の如く回動変位させることができる。従って、この摺動ストッパー２を作業者Ｍ側に繋ぎ留めた状態でも、該摺動ストッパー２に対する墜落防止ロープ１の係脱を行える。
【００３７】
このような摺動ストッパー２は、通した墜落防止ロープ１に重量負荷（人体荷重）による緊張力が作用していない状態では、可動巻き掛け部２２の直線状の平坦部２２ｂが図４の仮想線で示すように固定巻き掛け部２１の平坦部２１ｂと略平行となり、両巻き掛け部２１，２２間を通るロープ１には挟着力が作用しないため、Ｓ字状の巻き掛け形態による摺動抵抗はかかるが、何れの方向にもロープ１を引き出すことができ、もって前記の余剰部１１を任意に設定できる。しかるに、作業者Ｍが落下して該ロープ１に人体荷重が加わると、該ロープ１は図４の矢印ａ方向に引っ張られるため、その緊張力によってカム形状の可動巻き掛け部２２が図４の実線で示すように回動変位し、これに伴って両巻き掛け部２１，２２の平坦部２１ｂ，２２ｂが非平行となって間隔を狭めるため、両巻き掛け部２１，２２間を通るロープ１が強く挟着されて摺動不能となり、もって落下した作業者Ｍは該ロープ１にぶら下がった状態で止められ、地上への落下を免れる。しかして、上記の可動巻き掛け部２２の回動変位に伴ってレバー２０が図示仮想線の状態から実線のように側方へ張出するから、ロープ１にぶら下がった作業者Ｍが該レバー２０を押圧操作すれば、可動巻き掛け部２２が図示実線の状態に戻って両巻き掛け部２１，２２間を通るロープ１の挟着が解除され、該作業者Ｍはロープ１に沿って降下できる。
【００３８】
図５（Ａ）（Ｂ）及び図６（Ａ）（Ｂ）は支持点Ｐのスリングベルト３に保持させる開閉式クリップ環４としてのカラビナを示す。このカラビナは、略Ｃ字形をなす本体４ａの開裂部４０の一端側に開閉片４ｂが基端側で枢支ピン４１を介して前後傾動自在に枢着されると共に、該開裂部４０の他端側に内向きに開いた係止凹部４２が設けてあり、開閉片４ｂが基端側の枢着部に介在するばね材（図示省略）によって前方傾動方向に常時付勢され、その先端部に設けた係止ピン４３が係止凹部４２に係合して開裂部４０を閉鎖するようになっており、開閉片４ｂにはロック用スリープ４４が周方向回転可能に外嵌している。このロック用スリープ４４は、本体４ａの開裂部４０の両端部にかかる長さを有し、両端の周方向同位置にＵ字状切欠部４４ａ，４４ｂが設けてあり、内側に介装したばね材（図示省略）の付勢により、常時はＵ字状切欠部４４ａ，４４ｂが図５（Ａ）及び図６（Ａ）に示すように側方に位置する回転姿勢に保持され、これによって閉鎖状態の開閉片４ｂを傾動不能にロックする。しかして、該スリープ４４をばね力に抗して回転させ、Ｕ字状切欠部４４ａ，４４ｂが図６（Ｂ）に示すように前方に位置する回転姿勢とすることにより、ロックが解除されて開閉片４ｂは図５（Ｂに示すように内側へ傾動可能となり、もってスリングベルト３や墜落防止ロープ１を係脱できる。
【００３９】
支持点Ｐの形成に用いる巻留め用索体としては、既述のようにスリングベルトが強度と摩擦性に優れることから特に推奨されるが、通常のロープ等も使用可能である。しかして、これら巻留め用索体は、例示したスリングベルト３のように全体を輪状にするか、少なくとも一端に輪状部を設けたりリング材を固着したものが好ましい。これは、立木Ｔの幹や太枝へ巻き掛けて会合した両端の少なくとも一方が輪状であることにより、その輪状部に他端側を通し、この通した他端側に開閉式クリップ環４を保持させるだけで支持点Ｐを簡単に形成できることによる。しかして、該クリップ環４は前記他端側に予め固着しておいてもよいし、該他端側も輪状になる構成では当該輪状部に前以って又は後から簡単に嵌め込むことができる。
【００４０】
また、巻留め用索体として全体が輪状のものを用いれば、これによって形成した支持点Ｐが不要になった際、作業者Ｍが下りる際に該巻留め用索体と開閉用クリップ環を回収してゆく代わりに、当該索体とクリップ環を地上からの操作で無理なく回収することが可能となる。この回収方式を図７で例示する。
【００４１】
すなわち、図７に示すように、支持点Ｐの輪状のスリングベルト３は、立木Ｔの幹に巻き掛けて会合した一端側３ａを他端側３ｂの輪に通し、この通した一端側３ａの輪にカラビナ４を嵌めた状態にあるが、その他端側３ｂの輪の部分に巻留め解除用の紐状物７が繋ぎ留められている。しかして、該紐状物７の下端は図示を省略しているが地上近くまで垂らされており、地上から該紐状物７を引っ張ることにより、図示仮想線で示すように、スリングベルト３の他端側３ｂが引き下げられ、これに伴って該他端側３ｂの輪の部分からカラビナ４を保持した一端側３ｂが抜け出すから、該スリングベルト３の立木Ｔへの巻留めが外れ、該スリングベルト３とカラビナ４が一体に引き落とされる。従って、樹上作業が終了した際、作業者Ｍは、支持点Ｐ…を利用して立木Ｔを下りるが、その各支持点Ｐでカラビナ４からロープ１を外してロープ１の余剰部１１を短くしてゆくだけで済み、何箇所もの支持点Ｐ…のスリングベルト３…の巻留めを解いてカラビナ４…と共に担いで下ろすという多大な労力から解放されることになる。
【００４２】
なお、摺動ストッパー２としては、上記の実施形態ではロッククライミングで下降器として用いられるものを例示したが、同じくロッククライミングで使用されるエイト環類等の通したロープへの重量負荷によってストッパー機能が発揮される種々のビレイ器具も同様に使用できると共に、ブレイクスヒッチやプルジックのようなロープ結びからなるものやロリップのように急激荷重時の向きの逆転によってストッパー機能が発揮されるものも使用可能である。支持点Ｐのスリングベルト３に保持させる開閉式クリップ環４としては、図５，６で例示したロック用スリープ４４付きのカラビナの他、ロック用スリープ４４のないカラビナ、シャックル、本体の開裂部をねじ筒の進退によって開閉する方式のもの等、種々のものを使用できるが、操作の容易性と安全性の面でロック機構付きのカラビナが最も好適である。その他、本発明では、作業者Ｍが装着する安全帯の形態、摺動ストッパー２を作業者Ｍ側に繋ぎ留める方式等、細部構成については実施形態以外に種々設計変更可能である。
【図面の簡単な説明】
【００４３】
【図１】本発明に係る墜落防止方法を適用した一実施形態である木登りの状況を順次示し、（Ａ）は木登りの準備段階の模式側面図、（Ｂ）は作業者が木を登り始めた段階の模式側面図、（Ｃ）は木の高所に登った段階の模式側面図である。
【図２】同木登りにおける作業者の装備の具体例を示す側面図である。
【図３】同作業者が用いる摺動ストッパーの一例を示し、（Ａ）は正面図、（Ｂ）は平面図である。
【図４】墜落防止ロープを通した同摺動ストッパーの縦断正面図である。
【図５】同作業者が用いる開閉式クリップ環の一例であるカラビナを示し、（Ａ）は閉止状態の側面図、（Ｂ）は開放状態の側面図である。
【図６】同カラビナを示し、（Ａ）は閉止状態の正面図、（Ｂ）はロック用スリーブを解除位置とした状態の側面図である。
【図７】同墜落防止方法において、支持点の巻留め用索体と開閉式クリップ環を地上からの操作で回収する方式を示す側面図である。
【符号の説明】
【００４４】
Ｍ          作業者
Ｐ          支持点
Ｐ１        第１支持点
Ｐ２        第２支持点
Ｔ          立木
１          墜落防止ロープ
１ａ        始端側
１０        ストック部
１１        ロープの余剰部
２          摺動ストッパー
２０        レバー
３          巻留め用索体（スリングロープ）
３ａ        一端側
３ｂ        他端側
４          開閉式クリップ環（カラビナ）
５          安全帯
６          カラビナ
７          紐状物
【図１】
2006158229.tif 000003
【図２】
2006158229.tif 000004
【図３】
2006158229.tif 000005
【図４】
2006158229.tif 000006
【図５】
2006158229.tif 000007
【図６】
2006158229.tif 000008
【図７】
2006158229.tif 000009